(57)【要約】【課題】発光素子の劣化による表示品質の低下と発光素子または発光素子を駆動する素子の特性のバラツキによる表示品質の低下とを抑制する。【解決手段】分離部１１と生成部１２とを備える発光制御信号生成回路１を提供する。分離部１１は、動画像信号ＭＰをフレーム毎に空間周波数が高い高域成分と空間周波数が低い低域成分とに分離する。生成部１２は、分離部１１の分離結果に基づいて発光制御信号ＥＣを生成する。発光制御信号ＥＣでは、高域成分を含む一方で低域成分を含まない高域フレームと、低域成分を含む一方で高域成分を含まない低域フレームとが交互に並ぶ。発光制御信号ＥＣは、高域フレームについては第１条件を満たすように発光を制御し、低域フレームについては第１条件と異なる第２条件を満たすように発光を制御する。【選択図】図８
2010152262.tif 000002
【特許請求の範囲】
【請求項１】
動画像信号をフレーム毎に空間周波数が高い高域成分と空間周波数が低い低域成分とに
分離する分離過程と、
前記分離過程の分離結果に基づいて、画面を構成する複数の発光素子の発光を制御する
信号であって、前記高域成分を含む一方で前記低域成分を含まない高域フレームと、前記
低域成分を含む一方で前記高域成分を含まない低域フレームとが交互に並び、前記高域フ
レームについては第１条件を満たすように前記発光を制御し、前記低域フレームについて
は前記第１条件と異なる第２条件を満たすように前記発光を制御する発光制御信号を生成
する生成過程とを有し、
前記発光制御信号において、前記動画像信号の各フレームに対応する前記高域フレーム
と前記低域フレームとの組は、前記動画像信号におけるフレームの順序と同一の順序で並
ぶ、
ことを特徴とする発光制御信号生成方法。
【請求項２】
動画像信号をフレーム毎に空間周波数が高い高域成分と空間周波数が低い低域成分とに
分離する分離部と、
前記分離部の分離結果に基づいて、画面を構成する複数の発光素子の発光を制御する信
号であって、前記高域成分を含む一方で前記低域成分を含まない高域フレームと、前記低
域成分を含む一方で前記高域成分を含まない低域フレームとが交互に並び、前記高域フレ
ームについては第１条件を満たすように前記発光を制御し、前記低域フレームについては
前記第１条件と異なる第２条件を満たすように前記発光を制御する発光制御信号を生成す
る生成部とを有し、
前記発光制御信号において、前記動画像信号の各フレームに対応する前記高域フレーム
と前記低域フレームとの組は、前記動画像信号におけるフレームの順序と同一の順序で並
ぶ、
ことを特徴とする発光制御信号生成回路。
【請求項３】
前記第１条件および前記第２条件はそれぞれ発光期間を定めており、
前記第１条件が定める発光期間は、前記第２条件が定める発光期間よりも長い、
ことを特徴とする請求項２に記載の発光制御信号生成回路。
【請求項４】
前記複数の発光素子は、それぞれ、リセット期間においてリセットされる設定値に応じ
た駆動エネルギーで発光素子を駆動する回路に駆動され、
前記第１条件および前記第２条件はそれぞれリセット期間を定めており、
前記第２条件が定めるリセット期間は、前記第１条件が定めるリセット期間よりも長い
、
ことを特徴とする請求項２に記載の発光制御信号生成回路。
【請求項５】
前記高域フレーム及び前記低域フレームの表示は前記画面の走査によって行われ、
前記生成部は、前記高域フレームの走査期間の長さと前記低域フレームの走査期間の長
さとの比が、前記動画像信号の一または複数のフレームにわたる前記高域成分と前記低域
成分との比率と一致するように前記発光制御信号を生成する、
ことを特徴とする請求項２乃至４のいずれか一項に記載の発光制御信号生成回路。
【請求項６】
請求項２乃至５のいずれか一項に記載の発光制御信号生成回路と、
前記複数の発光素子と
を備える表示装置。
【請求項７】
請求項６に記載の表示装置を備える電子機器。
【発明の詳細な説明】
【技術分野】
【０００１】
本発明は、複数の発光素子の発光を制御する発光制御信号を生成する技術に関する。
【背景技術】
【０００２】
特許文献１には、インターレース信号をプログレッシブ信号へ変換して液晶ディスプレ
イや有機ＥＬディスプレイ等の面ホールド型のディスプレイに画像を表示させる際に生じ
る画像のボケを低減するために、変換後のプログレッシブ信号の各フレームに対するＨＰ
Ｆ（高域通過フィルタ）によるフィルタリング結果を高域強調サブレームとするとともに
ＬＰＦ（低域通過フィルタ）によるフィルタリング結果を低域強調サブレームとして、フ
レームレートがプログレッシブ信号の２倍の信号を生成し、この信号を、複数の発光素子
を駆動する回路に供給する構成が開示されている。
【特許文献１】特開２００７−３０４２０５号公報（図８）
【発明の開示】
【発明が解決しようとする課題】
【０００３】
ところで、有機ＥＬ素子のような発光素子が配列されたディスプレイでは、発光素子の
劣化（典型的には「焼きつき」）による表示品質の低下や、発光素子または発光素子を駆
動する素子（典型的にはトランジスタ）の特性のバラツキによる表示品質の低下（色ムラ
）が発生しうる。しかし、上記の構成では、これらの表示品質の低下を抑制することはで
きない。
そこで、本発明は、発光素子の劣化による表示品質の低下と発光素子または発光素子を
駆動する素子の特性のバラツキによる表示品質の低下とを抑制することを解決課題として
いる。
【課題を解決するための手段】
【０００４】
この課題を解決するために、本発明は、動画像信号をフレーム毎に空間周波数が高い高
域成分と空間周波数が低い低域成分とに分離する分離過程と、前記分離過程の分離結果に
基づいて、画面を構成する複数の発光素子の発光を制御する信号であって、前記高域成分
を含む一方で前記低域成分を含まない高域フレームと、前記低域成分を含む一方で前記高
域成分を含まない低域フレームとが交互に並び、前記高域フレームについては第１条件を
満たすように前記発光を制御し、前記低域フレームについては前記第１条件と異なる第２
条件を満たすように前記発光を制御する発光制御信号を生成する生成過程とを有し、前記
発光制御信号において、前記動画像信号の各フレームに対応する前記高域フレームと前記
低域フレームとの組は、前記動画像信号におけるフレームの順序と同一の順序で並ぶ、こ
とを特徴とする発光制御信号生成方法を提供する。
この明細書において、「フレーム」は、インターレース方式における「フィールド」を
含む。したがって、発光制御信号の「フレームレート」は、低域フレーム及び高域フレー
ムの各々について総ての走査線が用いられる場合であっても、低域フレームでは半数の走
査線が用いられ、高域フレームでは残り半数の走査線が用いられる場合であっても、単位
時間内に表示される低域フレームと高域フレームの合計数となる。
上記の発光制御信号生成方法によれば、例えば、動画像信号において第１フレームの次
に第２フレームが並ぶ場合には、第１フレームに対応する高域フレームの次に第１フレー
ムに対応する低域フレームが並び、次に第２フレームに対応する高域フレームが並び、次
に第２フレームに対応する低域フレームが並ぶ発光制御信号が生成され、画面が第１フレ
ームに対応する高域フレームで書き換えられ、次に第１フレームに対応する低域フレーム
で書き換えられ、次に第２フレームに対応する高域フレームで書き換えられ、次に第２フ
レームに対応する低域フレームで書き換えられる発光制御信号が生成される。
ところで、発光素子が劣化する確率は、その発光素子が低域成分の表示に用いられる場
合よりも高域成分の表示に用いられる場合の方が高い。一方、発光素子または発光素子を
駆動するトランジスタの特性のバラツキによる色ムラは、画面上の高域成分が占める領域
よりも低域成分が占める領域において視認され易い。これに対して、上記の発光制御信号
生成方法では、上記の発光制御信号として、画面を構成する複数の発光素子の発光を、高
域フレームについては第１条件を満たすように制御し、低域フレームについては第１条件
と異なる第２条件を満たすように制御する信号が生成されるから、適宜、発光素子が劣化
し難い条件を第１条件とし、発光素子または発光素子を駆動する素子の特性のバラツキが
表示品質に与える影響が小さくなる条件を第２条件として採用することにより、発光素子
の劣化および色ムラを抑制することができる。つまり、上記の発光制御信号生成方法によ
れば、発光素子の劣化による表示品質の低下と発光素子または発光素子を駆動する素子の
特性のバラツキによる表示品質の低下とを抑制することができる。
なお、発光制御信号のフレームレートは任意である。例えば、発光制御信号のフレーム
レートと動画像信号のフレームレートとが互いに異なるようにしてもよい。また例えば、
発光制御信号のフレーム数が動画像信号のフレーム数より多くなることを考慮して、発光
制御信号のフレームレートを動画像信号のフレームレートより高くしてもよい。また例え
ば、発光制御信号のフレーム数が動画像信号のフレーム数の２倍となることを考慮して、
発光制御信号のフレームレートを動画像信号のフレームレートの２倍とし、動画像の表示
の開始から終了までの時間が変わらないようにしてもよい。
【０００５】
また、本発明は、動画像信号をフレーム毎に空間周波数が高い高域成分と空間周波数が
低い低域成分とに分離する分離部と、前記分離部の分離結果に基づいて、画面を構成する
複数の発光素子の発光を制御する信号であって、前記高域成分を含む一方で前記低域成分
を含まない高域フレームと、前記低域成分を含む一方で前記高域成分を含まない低域フレ
ームとが交互に並び、前記高域フレームについては第１条件を満たすように前記発光を制
御し、前記低域フレームについては前記第１条件と異なる第２条件を満たすように前記発
光を制御する発光制御信号を生成する生成部とを有し、前記発光制御信号において、前記
動画像信号の各フレームに対応する前記高域フレームと前記低域フレームとの組は、前記
動画像信号におけるフレームの順序と同一の順序で並ぶ、ことを特徴とする発光制御信号
生成回路を提供する。
この発光制御信号生成回路によれば、前述の発光制御信号生成方法と同様の発光制御信
号を生成可能であるから、発光素子の劣化による表示品質の低下と発光素子または発光素
子を駆動する素子の特性のバラツキによる表示品質の低下とを抑制することができる。
【０００６】
上記の発光制御信号生成回路において、前記第１条件および前記第２条件がそれぞれ発
光期間を定め、前記第１条件が定める発光期間が前記第２条件が定める発光期間よりも長
いようにしてもよいし、前記複数の発光素子は、それぞれ、リセット期間においてリセッ
トされる設定値に応じた駆動エネルギーで発光素子を駆動する回路に駆動され、前記第１
条件および前記第２条件はそれぞれリセット期間を定め、前記第２条件が定めるリセット
期間は前記第１条件が定めるリセット期間よりも長いようにしてもよい。
前者によれば、発光素子の発光期間は、その発光素子が高域成分の表示に用いられる場
合に長くなる。発光期間が長ければ、発光素子を駆動する電流または電圧を低減すること
が可能である。通常、発光素子の駆動電流または駆動電圧の大きさは、発光期間の長さよ
りも大きな影響を発光素子の劣化速度に与える。よって、前者によれば、発光素子の劣化
による表示品質の低下をより効果的に抑制することができる。
ここで、トランジスタが印加電圧に応じた駆動電流を発光素子に供給する構成を想定す
る。トランジスタの印加電圧に対する駆動電流の特性は、線形領域と飽和領域に分けられ
るが、線形領域における特性のバラツキが表示品質に与える影響は飽和領域における特性
のバラツキが表示品質に与える影響よりも大きい。前者によれば、発光素子の発光期間は
、その発光素子が低域成分の表示に用いられる場合に短くなり、発光期間に含まれる線形
領域の低減が可能となるから、トランジスタの特性のバラツキが表示品質に与える影響を
抑制することができる。つまり、前者によれば、発光素子または発光素子を駆動する素子
の特性のバラツキによる表示品質の低下をより効果的に抑制することができる。
一方、後者によれば、発光素子を駆動する素子を駆動する回路のリセット期間が、低域
成分の表示に用いられる場合には長くなるから、発光素子または発光素子を駆動する素子
の特性のバラツキによる表示品質の低下をより効果的に抑制することができる。
【０００７】
上述の各発光制御信号生成回路において、前記高域フレーム及び前記低域フレームの表
示は前記画面の走査によって行われ、前記生成部は、前記高域フレームの走査期間の長さ
と前記低域フレームの走査期間の長さとの比が、前記動画像信号の一または複数のフレー
ムにわたる前記高域成分と前記低域成分との比率と一致するように前記発光制御信号を生
成する、ようにしてもよい。
上記の比率としては、動画像信号の一または複数のフレームをそのまま画面に表示した
ときに、当該画面において、高域成分が占める領域の面積と、低域成分が占める領域の面
積との比（面積比）を例示可能である。この発光制御信号生成回路によれば、動画像信号
の一または複数のフレームにわたる高域成分との比率が予め判明していなくとも、高い表
示品質を維持することができる。
【０００８】
また、本発明は、上記の各発光制御信号生成回路と、前記複数の発光素子とを備える表
示装置と、この表示装置を備える電子機器を提供する。
【発明を実施するための最良の形態】
【０００９】
図面を参照しながら本発明の様々な実施の形態を説明する。なお、以下の各図面におい
ては、各部の寸法の比率が実際のものとは適宜に相違している。また、本発明は、本実施
の形態に限定されるものではなく、本実施の形態を適宜変形して得られる各種の形態をも
その範囲に含む。
【００１０】
＜表示装置＞
図１は、本発明の実施の形態に係る表示装置１０の構成を示す図である。表示装置１０
は、供給された動画像信号ＭＰに応じた動画像を画面Ｓに表示するものであり、カラーの
動画像を表示可能である。動画像信号ＭＰは、クロック信号ＣＬＫと、垂直同期信号ＶＳ
ＹＮＣと、水平同期信号ＨＳＹＮＣと、第１階調データＲＤＡＴＡ，ＧＤＡＴＡ，ＢＤＡ
ＴＡとを含む。各第１階調データは画素毎に階調を指定するものであり、第１階調データ
ＲＤＡＴＡは赤（Ｒ）、第１階調データＧＤＡＴＡは緑（Ｇ）、第１階調データＢＤＡＴ
Ａは青（Ｂ）の階調を指定する。
【００１１】
図１に示すように、表示装置１０は、発光制御信号生成回路１と、走査線駆動回路２と
、データ線駆動回路３と、複数の画素回路Ｐとを備える。発光制御信号生成回路１は、動
画像信号ＭＰに基づいて発光制御信号ＥＣを生成して出力する。発光制御信号ＥＣは、走
査線駆動回路２へ供給されるクロック信号ＹＣＫ、リセット信号ＧＲＳＴ、書込信号ＧＷ
ＲＴ及び発光信号ＧＥＬと、データ線駆動回路３へ供給されるクロック信号ＸＣＫ、スタ
ートパルスＸＳＰ及び第２階調データＲＤ，ＧＤ，ＢＤを含む。各第２階調データは画素
毎に階調を指定するものであり、第２階調データＲＤは赤（Ｒ）、第２階調データＧＤは
緑（Ｇ）、第２階調データＢＤは青（Ｂ）の階調を指定する。以降の説明では、第２階調
データＲＤ、ＧＤ及びＢＤの総称として「第２階調データＤ」を用いる。
【００１２】
複数の画素回路Ｐはｍ行ｎ列のマトリクス状に配置され、画面Ｓを構成している。各画
素回路Ｐは、走査線駆動回路２から行毎に延在するｍ組の制御線群（図示略）と、データ
線駆動回路２から列毎に延在するｎ組のデータ線群（図示略）との各交差に対応して設け
られている。画素回路Ｐは、画面Ｓの画素となる回路であり、図２に示すように、単位回
路ＵＲ、ＵＧ及びＵＢを有する。単位回路ＵＲは赤（Ｒ）、単位回路ＵＧは緑（Ｇ）、単
位回路ＵＢは青（Ｂ）の階調を表示するものであり、各組のデータ線群は、Ｒ用データ線
とＧ用データ線とＢ用データ線とを含む。各単位回路ＵＲは、対応する組の制御線群と対
応する組のデータ線群に含まれるＲ用データ線との各交差に対応して設けられ、単位回路
ＵＧは、対応する組の制御線群と対応する組のデータ線群に含まれるＧ用データ線との各
交差に対応して設けられ、単位回路ＵＢは、対応する組の制御線群と対応する組のデータ
線群に含まれるＢ用データ線との各交差に対応して設けられている。単位回路ＵＲ、ＵＧ
及びＵＢの構成は、カラーフィルタ等の色変換手段を除いて互いに同様である。以降、Ｒ
用データ線、Ｇ用データ線およびＢ用データ線の総称として「データ線」を、単位回路Ｕ
Ｒ、ＵＧ及びＵＢの総称として「単位回路Ｕ」を用いる。
【００１３】
図３は、単位回路Ｕの電気的構成を示す回路図である。単位回路Ｕは、固定の電源電位
Ｖelが供給される給電線２１と接地電位が供給される接地線との間に介挿された発光素子
ＥＬを含む。発光素子ＥＬは有機ＥＬ（Electro Luminescent）素子である。給電線２１
から発光素子ＥＬに至る経路には駆動トランジスタＴｄｒが介挿されており、駆動トラン
ジスタＴｄｒと発光素子ＥＬとの間にはトランジスタＴｅｌが介挿されている。
【００１４】
駆動トランジスタＴｄｒは、ソースとゲートの間の電圧Ｖｇｓに応じた駆動電流（駆動
エネルギー）を生成するものであり、そのソースは給電線１４及び容量素子Ｃ１の第１電
極Ｌ１に、そのゲートは容量素子Ｃ１の第２電極Ｌ２に、そのドレインはトランジスタＴ
ｅｌに接続されている。容量素子Ｃ１は書き込まれた電圧（駆動電流の設定値）を保持す
るためのものであり、この電圧が電圧Ｖｇｓとなる。
【００１５】
駆動トランジスタＴｄｒのゲートとドレインとの間にはトランジスタＴｂが介挿されて
いる。トランジスタＴｂはスイッチング素子として機能し、そのゲートはリセット制御線
２１に接続されている。つまり、リセット制御線３２の電位がアクティブレベルの期間に
限り、トランジスタＴｂがオン状態となって駆動トランジスタＴdrがダイオード接続され
、容量素子Ｃ１の保持電圧がリセットされる。なお、リセット制御線２１は、この単位回
路Ｕに対応する制御線群に含まれる。
【００１６】
容量素子Ｃ1の第２電極Ｌ２とデータ線３１との間にはトランジスタＴａが介挿される
。トランジスタＴａはスイッチング素子として機能し、そのゲートは走査線２２に接続さ
れている。つまり、走査線２１の電位がアクティブレベルの期間に限り、トランジスタＴ
ａがオン状態となって容量素子Ｃ１への電圧の書き込みが行われる。なお、走査線２２は
、この単位回路Ｕに対応する制御線群に含まれる。
【００１７】
トランジスタＴｅｌはスイッチング素子として機能し、そのゲートは発光制御線２３に
接続されている。つまり、発光制御線２３の電位がアクティブレベルの期間に限り、トラ
ンジスタＴｅｌがオン状態となって駆動トランジスタＴｄｒから発光素子ＥＬへの駆動電
流の供給が行われる。なお、発光制御線２３は、この単位回路Ｕに対応する制御線群に含
まれる。
【００１８】
単位回路Ｕでは、リセット動作、書込動作および発光動作が巡回的に行われる。以降、
リセット動作が行われる期間を「リセット期間」、書込動作が行われる期間を「書込期間
」、発光動作が行われる期間を「発光期間」と呼ぶ。リセット期間では、図４に示すよう
に、トランジスタＴａはオフ状態、トランジスタＴｂはオン状態、トランジスタＴｅｌは
オフ状態を維持する。したがって、駆動トランジスタＴｄｒがダイオード接続され、容量
素子Ｃ１の保持電圧がリセットされる。
【００１９】
書込期間では、図５に示すように、トランジスタＴａはオン状態、トランジスタＴｂは
オフ状態、トランジスタＴｅｌはオフ状態を維持する。したがって、容量素子Ｃ１に、電
源電位Ｖｅｌとデータ線３１の電位との差電圧が書き込まれる。電源電位Ｖｅｌは固定で
あるから、この電圧は、データ線３１の電位によって定まる。発光期間では、図６に示す
ように、トランジスタＴａはオフ状態、トランジスタＴｂはオフ状態、トランジスタＴｅ
ｌはオン状態を維持する。したがって、発光素子ＥＬは、容量素子Ｃの保持電圧に応じた
駆動電流で駆動され、駆動電流に応じた輝度で発光する。
【００２０】
ｍ×ｎ×３個の単位回路Ｕにおいて上述した動作が行われるように、走査線駆動回路２
はｍ組の制御線群に各種信号を出力し、データ線駆動回路３はｎ組のデータ線群に各種信
号を出力する。各リセット制御線２１にはリセット信号ＧＩＮＴが、各走査線２２には書
込信号ＧＷＲＴが、各発光制御線２３には発光信号ＧＥＬが出力され、各データ線３１に
は第２階調データＤ（ＲＤ、ＧＤ又はＢＤ）が出力される。
【００２１】
走査線駆動回路２による画面Ｓの走査の方式としては、プログレッシブ方式とインター
レース方式があるが、本実施の形態では、プログレッシブ方式を採用している。したがっ
て、本実施形態では、垂直同期信号ＶＳＹＮＣで指定される各垂直走査期間（フレームの
開始から次のフレームの開始までの期間）において、ｍ本の走査線２２が択一的に順次選
択されることになる。つまり、本実施の形態では、１フレームの表示にｍ本の走査線２２
が用いられる。
【００２２】
＜発光制御信号生成回路＞
図７は、発光制御信号生成回路１の構成を示すブロック図である。この図に示すように
、発光制御信号生成回路１は分離部１１と生成部１２とを備える。分離部１１は、動画像
信号ＭＰをフレーム毎に空間周波数が高い高域成分と空間周波数が低い低域成分とに分離
する。この分離のイメージは図８に示す通りである。図８には、一例として、動画像信号
ＭＰの二つのフレーム（時点Ｔ１のフレームと、それに後続する時点Ｔ２のフレーム）の
各々が低域成分と高域成分とに分離される様子が示されている。
【００２３】
具体的には、分離部１１は、図示しないＨＰＦ（ハイパスフィルタ）及びＬＰＦ（ロー
パスフィルタ）を有し、クロック信号ＣＬＫと、垂直同期信号ＶＳＹＮＣと、水平同期信
号ＨＳＹＮＣと、第１階調データＲＤＡＴＡ、ＧＤＡＴＡ及びＢＤＡＴＡとを入力し、動
画像信号ＭＰのフレーム毎に、第１階調データＲＤＡＴＡ、ＧＤＡＴＡ及びＢＤＡＴＡを
ＨＰＦを通過した高域成分ＲＨＰＦＣ、ＧＨＰＦＣ及びＢＨＰＦＣと、ＬＰＦを通過した
低域成分ＲＬＰＦＣ、ＧＬＰＦＣ及びＢＬＰＦＣとに分離し、分離された各成分を出力す
る。なお、上記の分離では、クロック信号ＣＬＫ、垂直同期信号ＶＳＹＮＣ及び水平同期
信号ＨＳＹＮＣが、互いに対応する第１階調データの特定や、動画像信号ＭＰのフレーム
境界の特定に用いられるが、これらの信号を用いずに上記の分離を行うこと可能である。
【００２４】
生成部１２は、クロック信号ＣＬＫと、垂直同期信号ＶＳＹＮＣと、水平同期信号ＨＳ
ＹＮＣと、高域成分ＲＨＰＦＣ、ＧＨＰＦＣ及びＢＨＰＦＣと、低域成分ＲＬＰＦＣ、Ｇ
ＬＰＦＣ及びＢＬＰＦＣとを入力し、これらを用いて発光制御信号ＥＣを生成し、生成し
た発光制御信号ＥＣを出力する。発光制御信号ＥＣは、画面Ｓを構成するｍ×ｎ×３個の
発光素子Ｐの発光を制御する信号であり、前述の各種信号を含む。
【００２５】
発光制御信号ＥＣに含まれる各種信号は、高域成分ＲＨＰＦＣ、ＧＨＰＦＣ及びＢＨＰ
ＦＣを含む一方で低域成分ＲＬＰＦＣ、ＧＬＰＦＣ及びＢＬＰＦＣを含まない高域フレー
ム（例えば図８の時点ｔ２のフレーム及び時点ｔ４のフレーム）と、低域成分ＲＬＰＦＣ
、ＧＬＰＦＣ及びＢＬＰＦＣを含む一方で高域成分ＲＨＰＦＣ、ＧＨＰＦＣ及びＢＨＰＦ
Ｃを含まない低域フレーム（例えば図８の時点ｔ１のフレーム及び時点ｔ３のフレーム）
とが交互に並ぶように、かつ、フレームレートが動画像信号ＭＰのフレームレートの２倍
となるように生成される。
【００２６】
なお、本実施の形態では、動画像の表示の開始から終了までの時間が変わらないように
するために、発光制御信号ＥＣのフレームレートを動画像信号ＭＰのフレームレートの２
倍としているが、動画像の表示の開始から終了までの時間が変わってもよいならば、これ
に限らない。つまり、発光制御信号ＥＣのフレームレートを、動画像信号ＭＰのフレーム
レートと一致させてもよいし、本実施の形態のように、動画像信号ＭＰのフレームレート
と異ならせてもよい。もちろん、本実施の形態のように、発光制御信号ＥＣのフレームレ
ートを動画像信号ＭＰのフレームレートより高くすることにより、動画像の表示の開始か
ら終了までの時間が大幅に長くなる事態を回避するようにしてもよい。
【００２７】
ところで、図８に示すように、発光制御信号ＥＣの生成では、動画像信号ＭＰの一つの
フレームに対応して一組の高域フレームと低域フレームが生成される。そして、発光制御
信号ＥＣに含まれる各種信号の生成は、高域フレームと低域フレームとの組の順序が、動
画像信号ＭＰにおけるフレームの順序と同一となるように行われる。なお、各組における
高域フレーム及び低域フレームの順序は任意である。ただし、この順序は複数の組間で統
一されている必要がある。
【００２８】
例えば図８では、時点Ｔ１のフレームに対応する時点ｔ１の低域フレームの次に時点Ｔ
１のフレームに対応する時点ｔ２の高域フレームが並び、次に時点Ｔ２のフレームに対応
する時点ｔ３の低域フレームが並び、次に時点Ｔ２のフレームに対応する時点ｔ４の低域
フレームが並んでいる。したがって、画面Ｓは、時点ｔ１の低域フレームで書き換えられ
、次に時点ｔ２の高域フレームで書き換えられ、次に時点ｔ３の低域フレームで書き換え
られ、次に時点ｔ４の高域フレームで書き換えられることになる。
【００２９】
また、発光制御信号ＥＣに含まれる発光信号ＧＥＬは、発光素子ＥＬの発光が、高域フ
レームについては第１条件を満たすように制御され、低域フレームについては第１条件と
異なる第２条件を満たすように制御されるように生成される。第１条件および第２条件は
、共に、発光期間およびリセット期間を定めている。ただし、第１条件が定める発光期間
は第２条件が定める発光期間よりも長く、第２条件が定めるリセット期間は第１条件が定
めるリセット期間よりも長い。
【００３０】
このように、本実施の形態では、高域フレームについては、発光素子ＥＬの発光期間が
長くなる。したがって、適切な光量を得るために、発光素子ＥＬの輝度を下げる必要があ
る。そこで、本実施の形態では、発光信号ＧＥＬが、高域フレームについては発光素子Ｅ
Ｌの駆動電流が低減されるように生成される。ところで、発光素子ＥＬが劣化する確率は
、発光素子ＥＬが低域成分の表示に用いられる場合よりも高域成分の表示に用いられる場
合の方が高い。一方、発光素子ＥＬの駆動電流の大きさは、発光期間の長さよりも大きな
影響を発光素子ＥＬの劣化速度に与える。よって、本実施の形態によれば、発光素子ＥＬ
の劣化が抑制されるから、発光素子ＥＬの劣化による表示品質の低下が効果的に抑制され
る。
【００３１】
ところで、駆動トランジスタＴｄｒの特性のバラツキによる色ムラは、画面Ｓ上の高域
成分が占める領域よりも低域成分が占める領域において視認され易い。また、駆動トラン
ジスタＴｄｒの特性（電圧Ｖｄｓに対する駆動電流の大きさの特性）は、電圧Ｖｄｓが一
定の電圧未満の線形領域と、電圧Ｖｄｓが一定の電圧以上の飽和領域とに分けられ、線形
領域における特性のバラツキが表示品質に与える影響は飽和領域における特性のバラツキ
が表示品質に与える影響よりも大きい。しかし、本実施の形態では、低域フレームについ
ては発光素子ＥＬの発光期間が短くなるから、発光期間に含まれる線形領域を少なくする
ことが可能であり、駆動トランジスタＴｄｒのバラツキが表示品質に与える影響を抑制す
ることができる。つまり、本実施の形態によれば、駆動トランジスタＴｄｒの特性のバラ
ツキによる表示品質の低下が効果的に抑制される。
【００３２】
また、本実施の形態によれば、単位回路Ｕのリセット期間が、低域成分の表示に用いら
れる場合に長くなる。これは、駆動トランジスタＴｄｒの特性のバラツキによる表示品質
の低下の抑制に寄与する。
【００３３】
＜変形例＞
本実施の形態の各種の変形例の一部を以下に列記する。
本実施の形態では、高域フレームと低域フレームとの間で発光期間およびリセット期間
を相違させたが、これを変形し、いずれか一方のみを相違させるようにしてもよいし、発
光期間でもリセット期間でもない発光制御パラメータを相違させるようにしてもよいし、
第２条件として発光素子ＥＬの特性のバラツキが表示品質に与える影響が小さくなる条件
を採用してもよい。また、発光素子ＥＬとして有機ＥＬ素子以外の発光素子（例えばＳＥ
Ｄ（表面伝導型電子放出素子ディスプレイ）やＰＤＰ（プラズマディスプレイ））を採用
してもよい。つまり、第１条件として、発光素子が劣化し難い任意の条件を採用し、第１
条件と異なる第２条件として、発光素子または発光素子を駆動する素子の特性のバラツキ
が表示品質に与える影響が小さくなる任意の条件を採用可能である。
【００３４】
本実施の形態では、垂直走査期間の長さは、高域フレームと低域フレームとで同一であ
るが、これに限るものではない。例えば、高域フレームと低域フレームとの各組において
、高域フレームの垂直走査期間の長さと低域フレームの垂直走査期間の長さとの比が、対
応するフレーム（動画像信号ＭＰのフレーム）における高域成分と低域成分との比率と一
致する発光制御信号ＥＣを生成部１２が生成するようにしてもよい。この比率は、動画像
信号ＭＰの一または複数のフレームをそのまま画面Ｓに表示したときに、画面Ｓにおいて
、高域成分が占める領域の面積と、低域成分が占める領域の面積との比（面積比）でもあ
る。この形態であれば、上記の比率が予め判明していなくとも、高い表示品質を維持する
ことができる。この形態をさらに変形し、複数組にわたる高域フレームと低域フレームと
の垂直走査期間の長さの比と、対応する複数のフレーム（動画像信号ＭＰの複数のフレー
ム）にわたる高域成分と低域成分との比率とが一致する形態としてもよいし、上記の比と
上記の比率とが一致する動画像信号ＭＰのフレームと高域フレーム及び低域フレームの組
とが互いに対応していない形態としてもよい。
【００３５】
本実施の形態では、１フレームの表示にｍ本の走査線２２が用いられるが、画面を構成
する画素（画素回路Ｐ）の配置ピッチが視認されうる間隔より十分に狭い場合には、本実
施の形態を変形し、高域フレームの表示に奇数（偶数）番目のｍ／２本の走査線２２が用
いられ、低域フレームの表示に偶数（奇数）番目のｍ／２本の走査線２２が用いられるよ
うにしてもよい。つまり、動画像を表示する際の画面の走査の方式として、奇数走査線（
奇数番目の走査線）と偶数走査線（偶数番目の走査線）の駆動をフレームにより交互に切
り替えるインターレース方式を採用してもよい。この形態には、動画表示において高域成
分と低域成分との境界が輪郭（擬似輪郭）として視認される虞がないという利点がある。
【００３６】
＜応用例＞
次に、本実施の形態または各種変形例に係る表示装置５００を利用した電子機器につい
て説明する。図９は、表示装置５００を表示部として採用したモバイル型のパーソナルコ
ンピュータの構成を示す斜視図である。パーソナルコンピュータ２０００は、表示部とし
ての液晶表示装置５００と本体部２０１０とを備える。本体部２０１０には、電源スイッ
チ２００１およびキーボード２００２が設けられている。
図１０に、表示装置５００を適用した携帯電話機の構成を示す。携帯電話機３０００は
、複数の操作ボタン３００１およびスクロールボタン３００２、ならびに表示部としての
液晶表示装置５００を備える。スクロールボタン３００２を操作することによって、液晶
表示装置５００に表示される画面がスクロールされる。
図１１に、表示装置５００を適用した携帯情報端末（ＰＤＡ：Personal Digital Assis
tants）の構成を示す。情報携帯端末４０００は、複数の操作ボタン４００１および電源
スイッチ４００２、ならびに表示部としての表示装置５００を備える。
なお、表示装置５００が適用される電子機器としては、図９から図１１に示したものの
ほか、デジタルスチルカメラ、テレビ、ビデオカメラ、カーナビゲーション装置、電子手
帳、電子ペーパー、電卓、ワードプロセッサ、ワークステーション、テレビ電話、スキャ
ナ、複写機、ビデオプレーヤなどが挙げられる。
【図面の簡単な説明】
【００３７】
【図１】本発明の実施の形態に係る表示装置１０の構成を示すブロック図である。
【図２】表示装置１０内の画素回路Ｐの構成を示すブロック図である。
【図３】画素回路Ｐ内の単位回路Ｕの電気的構成を示す回路図である。
【図４】単位回路Ｕのリセット動作を説明するための図である。
【図５】単位回路Ｕの書込動作を説明するための図である。
【図６】単位回路Ｕの発光動作を説明するための図である。
【図７】表示装置１０内の発光制御信号生成回路１の構成を示すブロック図である。
【図８】発光制御信号生成回路１による発光制御信号の生成イメージを示す図である。
【図９】本発明に係る電子機器の具体的な形態を示す斜視図である。
【図１０】本発明に係る電子機器の具体的な別の形態を示す斜視図である。
【図１１】本発明に係る電子機器の具体的なさらに別の形態を示す斜視図である。
【符号の説明】
【００３８】
１……発光制御信号生成回路、２……走査線駆動回路、３……データ線駆動回路、１０（
５００）……表示装置、１１……分離部、１２……生成部、２０００……パーソナルコン
ピュータ、３０００……携帯電話機、４０００……情報携帯端末、Ｄ（ＲＤ，ＧＤ，ＢＤ
）……第２階調データ、ＥＣ……発光制御信号、ＥＬ……発光素子、ＧＥＬ……発光信号
、ＭＰ……動画像信号、Ｐ……画素回路、Ｓ……画面、Ｔｄｒ……駆動トランジスタ、Ｕ
（ＵＲ，ＵＧ，ＵＢ）……単位回路。
【図１】
2010152262.tif 000003
【図２】
2010152262.tif 000004
【図３】
2010152262.tif 000005
【図４】
2010152262.tif 000006
【図５】
2010152262.tif 000007
【図６】
2010152262.tif 000008
【図７】
2010152262.tif 000009
【図８】
2010152262.tif 000010
【図９】
2010152262.tif 000011
【図１０】
2010152262.tif 000012
【図１１】
2010152262.tif 000013